(57)【要約】【課題】簡単な構成により、コネクタの接触不良の発生を未然に防止し、取付パネルに装着された種々の装着物等にハーネスの余長が干渉しないようにハーネスを支持できるようにする。【解決手段】ハーネス５の固定具７による固定部分よりも操作スイッチ２のコネクタ２ａ寄りの位置をガイド体９により支持し、このときハーネス５のガイド体９による支持部分と、ハーネス５のコネクタ２ａとの接続部分とがほぼ平行に保持された状態でずれ、かつ、ガイド体９による支持部分とコネクタ２ａとの接続部分との間がＳ字を成すように、ガイド体９によりハーネス５の余長を支持する。【選択図】図３
2015163008.tif 000002
【特許請求の範囲】
【請求項１】
取付パネルに取り付けられた操作スイッチのコネクタに端部が接続されたハーネスを、固定具により車体部材に固定し、前記固定具と前記コネクタとの間の前記ハーネスの余長を支持するハーネスの支持構造において、
前記ハーネスの前記固定具による固定部分よりも前記コネクタ寄りの位置を支持する支持部材を備え、
前記ハーネスの前記支持部材による支持部分と、前記ハーネスの前記コネクタとの接続部分とがほぼ平行に保持された状態でずれ、かつ、前記支持部材による前記支持部分と前記接続部分との間がＳ字を成すように、前記支持部材により前記ハーネスの余長が支持されることを特徴とするハーネスの支持構造。
【発明の詳細な説明】
【技術分野】
【０００１】
本発明は、取付パネルに取り付けられた操作スイッチのコネクタに端部が接続されたハーネスを、固定具により車体部材に固定し、固定具とコネクタとの間のハーネスの余長を支持するハーネスの支持構造に関する。
【背景技術】
【０００２】
一般に、車両のインストルメントパネルには、スピードやエンジン回転数などを表示する液晶ディスプレイのほか、エンジンスタートスイッチや電動ミラースイッチ、電動ミラーレべリングスイッチなどの各種操作スイッチが取り付けられ、インストルメントパネル内側において、ハーネスの端部がこれら操作スイッチのコネクタに接続されることにより、電気的配線が行われている。
【０００３】
このとき、操作スイッチのインストルメントパネルへの組付けを容易に行えるようにするために、ハーネスの長さに余裕を持たせることが行われ、インストルメントパネルに組み付け後の操作スイッチに接続されたハーネスの余長を、インストルメントパネルに装着された小物入れなどの装着物やその他の機器に干渉しないように支持すべく、ゴム紐と、その両端に取り付けられハーネスに係止されるクリップとを有する伸縮索を使用し、ハーネスの余長を屈曲状態に引き留めておくことが、従来提案されている（例えば、特許文献１）。
【先行技術文献】
【特許文献】
【０００４】
【特許文献１】実願平１−２８４７１号（実開平２−１２１３３８号）の願書に添付した明細書及び図面の内容を撮影したＣＤ−ＲＯＭ（第５〜７頁の「実施例」および第１図参照）
【発明の概要】
【発明が解決しようとする課題】
【０００５】
しかし、上記した特許文献１の構造の場合、伸縮索がゴム紐であるため、ハーネスの剛性が強すぎると、伸縮索の引っ張り力に抗してハーネスが伸張してしまい、ハーネスの余長を屈曲した状態に保持することができなくなり、ハーネスの余長がインストルメントパネルの装着物に干渉する一方、伸縮索の引っ張り力をハーネスの剛性よりも大きくすると、スイッチをインストルメントパネルに組付けた後にハーネス端部のコネクタを結合する際に、作業者は伸縮索の引っ張り力よりも大きな力でハーネスを引っ張ってコネクタの結合作業をしなければならず、作業性の悪化を招くという問題がある。
【０００６】
本発明は、簡単な構成により、コネクタの接触不良の発生を未然に防止し、取付パネルに装着された種々の装着物等にハーネスの余長が干渉しないようにハーネスを支持できるようにすることを目的とする。
【課題を解決するための手段】
【０００７】
上記した目的を達成するために、本発明のハーネスの支持構造は、取付パネルに取り付けられた操作スイッチのコネクタに端部が接続されたハーネスを、固定具により車体部材に固定し、前記固定具と前記コネクタとの間の前記ハーネスの余長を支持するハーネスの支持構造において、前記ハーネスの前記固定具による固定部分よりも前記コネクタ寄りの位置を支持する支持部材を備え、前記ハーネスの前記支持部材による支持部分と、前記ハーネスの前記コネクタとの接続部分とがほぼ平行に保持された状態でずれ、かつ、前記支持部材による前記支持部分と前記接続部分との間がＳ字を成すように、前記支持部材により前記ハーネスの余長が支持されることを特徴としている（請求項１）。
【発明の効果】
【０００８】
請求項１に係る発明によれば、ハーネスの固定具による固定部分よりもコネクタ寄りの位置を支持部材により支持し、このときハーネスの支持部材による支持部分と、ハーネスのコネクタとの接続部分とがほぼ平行に保持された状態でずれ、かつ、支持部材による支持部分と接続部分との間がＳ字を成すように、支持部材によりハーネスの余長を支持するため、ハーネスのコネクタとの接続部分に過大な応力が加わることがなくコネクタの接触不良の発生を未然に防止することができ、取付パネルに装着された小物入れやスイッチ類など種々の装着物に、ハーネスの余長が干渉しないようにハーネスを支持することができる。
【図面の簡単な説明】
【０００９】
【図１】本発明に係るハーネスの支持構造の一実施形態の切断側面図である。
【図２】図１の支持部材（ガイド体）の斜視図である。
【図３】図１の一部の平面図である。
【発明を実施するための形態】
【００１０】
本発明の一実施形態について、図１ないし図３を参照して詳細に説明する。
【００１１】
図１に示すように、取付パネルであるインストルメントパネル１には、様々な車両用電気機器を操作するための操作スイッチ２をはじめ、小物入れ３などの装着物が取り付けられ、操作スイッチ２のコネクタ２ａに端部にワイヤハーネス５が接続されており、操作スイッチ２のインストルメントパネル１への組付けを容易に行えるようにするために、ハーネス５の長さに余裕を持たせつつ車体部材であるピラートゥピラーメンバ（以下、ＰＰメンバという）６に固定されて支持されている。このとき、以下に詳述する固定具７によりハーネス５の余長の処理が行われる。
【００１２】
この固定具７はいわゆる結束バンド構造を有し、一面に凸条が多数配列して一体形成された樹脂製バンド部７ａ、および、該バンド部７ａの途中の他面側に一体的に設けられたクリップ部７ｂ、バンド部７ａの一端に設けられバンド部７ａの他端が一方側から挿入される透孔を有し凸条の係止によってバンド部７ａの他端が他方側に抜けることを阻止する係止体を備える。
【００１３】
そして、図２に示すように、全体がＬ字形状で横断面もＬ字状を有する本発明における支持部材に相当するガイド体９が設けられ、このガイド体９の前側の一端がハーネス５とともに固定具７により結束されるとともに、ガイド体９の後側の他端がビニールテープ等のテープ１０によりハーネス５に固定され、この状態で、固定具７のクリップ部７ｂの先端の拡開した突起がＰＰメンバ６の係合孔６ａに嵌挿されて係合され、ハーネス５がピラートゥピラーメンバ６に固定支持される。
【００１４】
このとき、特に図３の平面図に示されるように、ガイド体９の後側の他端つまり後端Ａは、コネクタ２ａの前端Ｂよりも後方に位置するため、ガイド体９はハーネス５の固定具７による固定部分よりもコネクタ２ａ寄りの位置を支持することになり、ハーネス５のガイド体９による支持部分と、ハーネス５のコネクタ２ａとの接続部分とがほぼ平行に保持された状態でずれ、かつ、ガイド体９による支持部分とコネクタ２ａとの接続部分との間がＳ字を保ちつつガイド体９によりハーネス５の余長が支持されるようになっている。
【００１５】
その結果、ハーネス５がＳ字を成してガイド体９により余長分が下方に垂れ下がることなく支持されることになり、ハーネス５は折れ曲がることなく真っ直ぐな状態でコネクタ２ａに接続されるので、ハーネス５のコネクタ２ａとの接続部分に過大な応力が加わることが防止され、しかもハーネス５は、インストルメントパネル１に装着された小物入れ３など種々の装着物やその他のスイッチ類に余長が干渉することもなく支持される。
【００１６】
したがって、上記した実施形態によれば、ハーネス５の固定具７による固定部分よりも操作スイッチ２のコネクタ２ａ寄りの位置をガイド体９により支持し、このときハーネス５のガイド体９による支持部分と、ハーネス５のコネクタ２ａとの接続部分とがほぼ平行に保持された状態でずれ、かつ、ガイド体９による支持部分とコネクタ２ａとの接続部分との間がＳ字を成すように、ガイド体９によりハーネス５の余長を支持するため、ハーネス５のコネクタ２ａとの接続部分に過大な応力が加わることがなくコネクタ２ａの電気的接触不良の発生を未然に防止することができ、インストルメントパネル１に装着された小物入れ３等に、ハーネス５の余長が垂れ下がって干渉しないようにハーネス５を支持することができる。
【００１７】
また、固定具７を一緒にガイド体９をハーネス５に結束できるため、作業性に優れたハーネス支持構造を提供することができる。
【００１８】
なお、本発明は上記した実施形態に限定されるものではなく、本発明の趣旨を逸脱しない限りにおいて種々の変更が可能である。
【００１９】
例えば、上記した実施形態では、取付パネルをインストルメントパネル１とした例について説明したが、取付パネルはインストルメントパネル１に限定されるものではなく、固定具も上記した結束バンド構造のものに限定されないのはいうまでもない。
【００２０】
また、支持部材も、上記した形状のガイド体９に限定されるものではなく、要するにハーネス５の固定具７による固定部分よりもコネクタ２ａ寄りの位置を支持し得るものであって、ハーネス５の支持部分と、ハーネス５のコネクタ２ａとの接続部分とがほぼ平行に保持された状態でずれ、かつ、支持部分と接続部分との間がＳ字を成すように、ハーネス５の余長を支持できるものであればよい。
【符号の説明】
【００２１】
１    …インストルメントパネル（取付パネル）
２    …操作スイッチ
５    …ワイヤハーネス
６    …ＰＰメンバ（車体部材）
７    …固定具
９    …ガイド体（支持部材）
【図１】
2015163008.tif 000003
【図２】
2015163008.tif 000004
【図３】
2015163008.tif 000005